(57)【特許請求の範囲】
【請求項１】
内部に有底筒状の内ケースを有する炊飯器本体と、
前記内ケースに取り出し自在に収容され、上端の周縁部にフランジが形成された内釜と、
前記内ケースの開口の周縁を囲むように設けられ、径方向に沿って設けられたリング状の複数の突部を上端に有するシール部材と、
前記シール部材の両側面を狭持して保持する保持部と
を備え、
前記シール部材の各突部は、前記内ケースに前記内釜が収容された際、前記内釜の前記フランジの下面に当接して当該内釜を支持し、
前記複数の突部のうち内周側の突部は、
高さが外周側の突部よりも低く形成されていることを特徴とする炊飯器。
【請求項２】
前記複数の突部のうち内周側の突部は、厚みが外周側の突部よりも薄く形成されていることを特徴とする請求項１に記載の炊飯器。
【請求項３】
前記保持部は、
上面に載置された前記シール部材の内周面に当接する内枠部および前記内枠部を囲むように設けられた外枠部を有する第１保持部と、
前記第１保持部の前記内枠部に当接する前記シール部材の外周面と前記外枠部との間に嵌合し、前記シール部材の前記両側面を狭持して保持する第２保持部と、
を備えていることを特徴とする請求項１又は２に記載の炊飯器。
【発明の詳細な説明】
【技術分野】
【０００１】
本発明は、内ケースと内ケースに収容された内釜との間の空間を密閉する炊飯器に関するものである。
【背景技術】
【０００２】
従来の炊飯器として、炊飯器本体の内ケースの開口の周縁に、熱絶縁性の弾性部材からなるシール部材を設け、内ケースの開口の周縁に２列の突起によって形成された溝と取付穴とが形成され、前記シール部材は、２列の突起によって形成された溝と取付穴とによって堤状に固定され、溝からシール部材の上部を突出させたものがある（例えば、特許文献１参照）。
【先行技術文献】
【特許文献】
【０００３】
【特許文献１】特許第４８２２９１５号公報
【発明の概要】
【発明が解決しようとする課題】
【０００４】
前述した従来の炊飯器では、シール部材が２列の突起によって形成された溝と取付穴とによって固定されているが、シール部材を部分的に固定しているため、外れやすかったり、シール部材の取付穴以外の部分が浮き上がりやすいという課題があった。
【０００５】
本発明は、前述のような課題を解決するためになされたもので、シール部材が浮き上がることなく確実に固定すると共に、炊飯時及び保温時に発生する熱エネルギーの漏れを防止することができる炊飯器を得ることを目的とする。
【課題を解決するための手段】
【０００６】
本発明に係る炊飯器は、内部に有底筒状の内ケースを有する炊飯器本体と、内ケースに取り出し自在に収容され、上端の周縁部にフランジが形成された内釜と、内ケースの開口の周縁を囲むように設けられ、径方向に沿って設けられたリング状の複数の突部を上端に有するシール部材と、シール部材の両側面を狭持して保持する保持部とを備え、シール部材の各突部は、内ケースに内釜が収容された際、内釜のフランジの下面に当接して内釜を支持し、複数の突部のうち内周側の突部は、高さが外周側の突部よりも低く形成されている。
【発明の効果】
【０００７】
本発明によれば、シール部材の両側面を保持部で狭持して保持するようにしているので、シール部材が浮き上がったり、外れるということがない。
また、炊飯器本体の内ケースに内釜を収容した際に、シール部材の上端に設けられた径方向の複数の突部が内釜のフランジの下面にそれぞれ密接するので、内釜と内ケースとの間の空間が確実に密閉される。このため、炊飯時および保温時に内釜と内ケースとの間に発生する熱エネルギーの漏れを抑えることができる。
【図面の簡単な説明】
【０００８】
【図１】本発明の実施の形態に係る炊飯器の蓋体を開けて示す斜視図である。
【図２】図１の炊飯器において内釜を取り外した状態を示す断面図である。
【図３】図１の炊飯器において内釜を取り外した状態を示す斜視図である。
【図４】図２に示すＡ部分の拡大断面図である。
【図５】図４のシール部材により内釜のフランジを支持した状態を示す断面図である。
【図６】図４のシール部材の変形例１を示す断面図である。
【図７】図４のシール部材の変形例２を示す断面図である。
【発明を実施するための形態】
【０００９】
図１は本発明の実施の形態に係る炊飯器の蓋体を開けて示す斜視図、図２は図１の炊飯器において内釜を取り外した状態を示す断面図、図３は図１の炊飯器において内釜を取り外した状態を示す斜視図である。
【００１０】
本実施の形態に係る炊飯器１は、図１に示すように、内部に有底筒状の内ケース１１を有する炊飯器本体２と、炊飯器本体２に開閉自在に設けられた蓋体３と、内ケース１１に取り出し自在に収容される内釜４とを備えている。内釜４が内ケース１１に収容された際、内釜４と内ケース１１との間に空間が形成される。炊飯器本体２の前面には、蒸気回収タンク５が着脱自在に取り付けられている。蓋体３の内側には、内蓋６が取り外し自在に取り付けられている。
【００１１】
また、蓋体３の前面には、蓋体３を開閉する蓋開閉ボタン７が設けられている。内釜４の開口の周縁部には、外方へ折り曲げられて形成されたフランジ４ａが設けられている。内蓋６の周縁部には、例えばシリコンゴムにより形成されたリング状のパッキン６ａが取り付けられている。この内蓋６は、蓋体３が閉じられた際に、内釜４のフランジ４ａの上面にパッキン６ａが当接して内釜４の開口を密閉状態で閉塞する。
【００１２】
炊飯器本体２の内部には、図２に示すように、筒状に形成された遮熱板１１ａと、その遮熱板１１ａの下に設置されたほぼ深皿形状のコイル台１１ｂとで構成される内ケース１１が設けられている。この内ケース１１の上側には、シール部材３１が設けられている。このシール部材３１は、図３に示すように、リング状に形成され、内ケースの開口の周縁を囲むように設けられている。遮熱板１１ａの外周面には、胴ヒーター１２が密着して取り付けられている。この胴ヒーター１２は、炊飯時および保温時に通電されて発熱する。なお、胴ヒーター１２に代えて、誘導加熱コイルを遮熱板１１ａの外周面に設けてもよい。
【００１３】
また、内ケース１１の外面（底部およびコーナー部）には、誘導加熱コイル１３が巻き付けられて固定されている。誘導加熱コイル１３は、通電により交番磁界を発生し、内釜４を電磁誘導により加熱する。また、内ケース１１の中心部には、内釜４の底部に当接して内釜４の温度を検知する温度センサー１４が設けられている。
【００１４】
炊飯器本体２の後部側の内部には、電源基板１５が設置されている。電源基板１５は、半田面（裏面）側に設置された基板ホルダー１６に固定されている。電源基板１５は、誘導加熱コイル１３に電力を供給するスイッチング素子、その他の電子部品等が実装されている。また、前述の電源基板１５には、スイッチング素子に当接された放熱器１７が取り付けられている。放熱器１７は、一定の間隔で整列された複数の放熱フィンを有し、熱伝導性のよいアルミニウム合金により形成されている。放熱器１７の下側には、冷却ファン１８が設置されている。
【００１５】
蓋体３の内側には、操作基板１９が取り付けられている。操作基板１９には、胴ヒーター１２および誘導加熱コイル１３への通電を制御する制御部を包含するマイコン（図示せず）、その他の電子部品等が実装されている。また、蓋体３の操作基板１９上の位置に、メニュー選択スイッチ、炊飯スイッチ、液晶表示部等を備える操作パネル２０が設けられている。
【００１６】
次に、前述したシール部材３１およびシール部材３１を保持する保持部４１の構成について、図４を用いて説明する。
図４は図２に示すＡ部分の拡大断面図である。
【００１７】
シール部材３１は、図４に示すように内ケース１１の軸心方向に縦長で、例えば耐熱性・弾性を有するシリコンゴムにより形成されている。このシール部材３１は、前述のようにリング状に形成され、縦長の中央部分である板部３２と、板部３２の上端に径方向に設けられた例えば２つの三角形状の突部３３、３４と、板部３２の下部に設けられた二股の脚部３５、３６とで構成されている。なお、三角形状の突部を２つとしているが、板部３２の肉厚にもよるが、径方向に３つ設けても良い。
【００１８】
板部３２は、リング状に形成されており、外周面に内側に凹んだ凹部３２ａが設けられている。突部３３、３４は、板部３２の上端に全周に亘って形成されている。この突部３３、３４は、頂角の角度と高さが共に同じで、突部３３、３４の間にリング状の溝３７が形成されている。脚部３５、３６のうち一方の脚部３５は、板部３２の鉛直方向の下端部に形成されており、もう一方の脚部３６は、板部３２の外周面の下部から外方へ延びて下方に折り曲げられて形成されている。この脚部３５、３６の間には、下方が開放されたリング状の溝３８が形成されている。
【００１９】
保持部４１は、第１保持部４２と第２保持部４３とで構成されている。第１保持部４２は、リング状を成して炊飯器本体２の枠体２１に取り付けられており、シール部材３１の板部３２の内周面に当接するリング状の内枠部４２ａと、脚部３５、３６の間に形成された溝３８に嵌合するリング状の突部４２ｂと、突部４２ｂを介して内枠部４２ａを囲むように設けられ、この内枠部４２ａよりも低く形成された外枠部４２ｃとを備えている。外枠部４２ｃには、内側に外枠部４２ｃよりも低くい支持部４２ｄが設けられている。
【００２０】
第２保持部４３は、リング状を成しており、板部３２の凹部３２ａに嵌合された制止部４３ａと、制止部４３ａから外方へ延びて下方へ折り曲げられて形成され、第１保持部４２の支持部４２ｄに支持される挿入部４３ｂと、挿入部４３ｂの外周面に設けられ、第１保持部４２の外枠部４２ｃの上端に係止される補強部４３ｃとを備えている。
【００２１】
ここで、シール部材３１の取付と保持について説明する。
炊飯器本体２の枠体２１に設けられた第１保持部４２にシール部材３１を取り付ける場合、シール部材３１のリング内に第１保持部４２の内枠部４２ａが挿入されるように、シール部材３１の板部３２を内枠部４２ａに沿わせて下げていく。そして、シール部材３１の脚部３５、３６の間に形成された溝３８に第１保持部４２の突部４２ｂを挿入させ、その脚部３５、３６を第１保持部４２上に載せる。
【００２２】
次に、第１保持部４２の内枠部４２ａが挿入されたシール部材３１を保持する場合は、第２保持部４３の挿入部４３ｂを第１保持部４２の外枠部４２ｃの内周面に沿わせて下方へ押し込んでいく。そして、その挿入部４３ｂを更に押し込んでいくと、挿入部４３ｂが第１保持部４２の支持部４２ｄに当接すると共に、第２保持部４３の補強部４３ｃが第１保持部４２の外枠部４２ｃの上面に当接する。
【００２３】
この時、第２保持部４３の制止部４３ａは、板部３２の凹部３２ａに嵌り込んで、第１保持部４２の内枠部４２ａとでシール部材３１の板部３２を狭持し、第１保持部４２の突部４２ｂとでシール部材３１の脚部３６を狭持してシール部材３１を保持する。第２保持部４３の補強部４３ｃは、炊飯器１が何らかの原因で転倒したり、落下したときに受ける衝撃により、シール部材３１が外れないようにするために設けられている。
【００２４】
前記のように構成された炊飯器において、シール部材３１の作用について図５を用いて説明する。
図５は図４のシール部材により内釜のフランジを支持した状態を示す断面図である。
炊飯器本体２の内ケース１１に内釜４を収容した際（図１参照）、内釜４のフランジ４ａの下面がシール部材３１の突部３３、３４に当接して、その突部３３、３４の先端部が内釜４の重量により潰れる。この潰れた２重の突部３３、３４がフランジ４ａの下面にそれぞれ密着し、内釜４と内ケースとの間の空間を密閉状態にする。この時、第１保持部４２と第２保持部４３とで狭持されたシール部材３１の板部３２がフランジ４ａを介して内釜４を支持する。
【００２５】
以上のように本実施の形態によれば、シール部材３１の板部３２および脚部３６の全周を第１保持部４２と第２保持部４３とで狭持して保持するようにしているので、シール部材３１が浮き上がったり、外れるということがない。
【００２６】
また、炊飯器本体２の内ケース１１に内釜４を収容した際に、シール部材３１の上端に設けられた径方向の２重の突部３３、３４が内釜４のフランジ４ａの下面にそれぞれ密着するようにしているので、内釜４と内ケースとの間の空間が確実に密閉される。このため、炊飯時および保温時に内釜４と内ケース１１との間に発生する熱エネルギーの漏れを抑えることができる。
【００２７】
さらに、内釜４が内ケース１１の一方に寄って、フランジ４ａの曲げ部分にシール部材３１の突部３３、３４が当接したとしても、前述のように２重の突部３３、３４により、フランジ４ａの下面との間を密着させることができる。このため、炊飯時および保温時に内釜４と内ケースとの間に発生する熱エネルギーの漏れを抑えることができる。
【００２８】
（変形例１）
図６は図４のシール部材の変形例１を示す断面図である。なお、実施の形態と同様あるいは相当部分には同じ符号を付して説明する。
実施の形態では、板部３２の上端の全周に沿って形成された突部３３、３４は、頂角の角度と高さが共に同じであることを述べたが、変形例１としては、シール部材３１の突部３３、３４のうち内周側の突部３３を、外周側の突部３４よりも低く形成したものである。２つの突部３３、３４は、実施の形態と同様に三角形状を成しており、内周側の突部３３の高さをｈ１とし、外周側の突部３４の高さをｈ２とした場合、ｈ１＜ｈ２の関係になっている。突部３３、３４の頂角の角度は共に同じである。
【００２９】
以上のように、内周側の突部３３の高さｈ１を外周側の突部３４の高さｈ２よりも低く形成することにより、内釜４が内ケース１１の一方に片寄った状態で収容されて、フランジ４ａの曲げ部分に内周側の突部３３が当接したとしても、その内周側の突部３３の高さｈ１低いためフランジ４ａの曲げ部分に密着し、このため、外周側の突部３４によるフランジ４ａの平面部分への密着状態と均一になり、炊飯時および保温時に内釜４と内ケースとの間に発生する熱エネルギーの漏れを抑えることができる。
【００３０】
なお、三角形状の突部を２つとしているが、板部３２の肉厚にもよるが、径方向に３つ設けても良い。この場合、中央の突部の高さを内周側の突部３３よりも高く、外周側の突部３４よりも低くする。
【００３１】
（変形例２）
図７は図４のシール部材の変形例２を示す断面図である。なお、実施の形態と同様あるいは相当部分には同じ符号を付して説明する。
変形例２としては、シール部材３１の突部３３、３４のうち内周側の突部３３の厚みを、外周側の突部３４よりも薄く形成したものである。２つの突部３３、３４は、実施の形態と同様に三角形状を成しており、内周側の突部３３の底辺の厚みをｗ１とし、外周側の突部３４の底辺の厚みをｗ２とした場合、ｗ１＜ｗ２の関係になっている。この場合、突部３３の頂角の角度は、突部３４の頂角の角度よりも狭くなっている。
【００３２】
以上のように、内周側の突部３３の厚みｗ１を外周側の突部３４の厚みｗ２よりも薄く形成することにより、内釜４が内ケース１１の一方に片寄った状態で収容されて、フランジ４ａの曲げ部分に内周側の突部３３が当接したとしても、その内周側の突部３３の厚みｗ１が薄いため外方へ折り曲げられて密着する。このため、外周側の突部３４によるフランジ４ａの平面部分への密着状態と均一になり、炊飯時および保温時に内釜４と内ケースとの間に発生する熱エネルギーの漏れを抑えることができる。
【００３３】
なお、三角形状の突部を２つとしているが、板部３２の肉厚にもよるが、径方向に３つ設けても良い。この場合、中央の突部の底辺の厚みを内周側の突部３３よりも厚く、外周側の突部３４よりも薄くする。
【符号の説明】
【００３４】
１  炊飯器、２  炊飯器本体、３  蓋体、４  内釜、４ａ  フランジ、５  蒸気回収タンク、６  内蓋、６ａ  パッキン、７  蓋開閉ボタン、１１  内ケース、１１ａ  遮熱板、１１ｂ  コイル台、１２  胴ヒーター、１３  誘導加熱コイル、１４  温度センサー、１５  電源基板、１６  基板ホルダー、１７  放熱器、１８  冷却ファン、１９  操作基板、２０  操作パネル、２１  枠体、３１  シール部材、３２  板部、３２ａ  凹部、３３、３４  突部、３５、３６  脚部、３７  溝、３８  溝、４１  保持部、４２  第１保持部、４２ａ  内枠部、４２ｂ  突部、４２ｃ、外枠部、４２ｄ  支持部、４３  第２保持部、４３ａ  制止部、４３ｂ  挿入部、４３ｃ  補強部。
【図１】
0006624971.tif 000002
【図２】
0006624971.tif 000003
【図３】
0006624971.tif 000004
【図４】
0006624971.tif 000005
【図５】
0006624971.tif 000006
【図６】
0006624971.tif 000007
【図７】
0006624971.tif 000008